(57)【要約】  【課題】  気温の変化又は湿度の変化を考慮し、人間工学的に健康上好ましく又は快適に安眠できる枕を提供することを目的とする。  【解決手段】  枕１０を、二つの長側面１２及び１４、並びに二つの短側面１６及び１８を有し、上面及び下面の中央付近に凹面形状の頭載置部２０を有し、一方の長側面１２の中央付近に凹部２２を有し、他方の長側面１４の中央付近に凸部２４を有するように構成した。凹部２２を有することにより、その両端側に接触凸部２６を有することとなる。また、凸部２４を有することにより、その両端側に離隔凹部２８を有することとなる。  【選択図】  図１
2005312614.tif 000002
【特許請求の範囲】
【請求項１】
二つの長側面及び二つの短側面を有し、上面に頭載置部を有する枕において、
一方の長側面の中央付近に凹部を有し、他方の長側面の中央付近に凸部を有する枕。
【請求項２】
凹面形状の前記頭載置部が前記上面の中央付近に設けられた請求項１に記載する枕。
【請求項３】
前記一方の長側面の凹部の両端側に、人の肩に接触する接触凸部が形成され、前記他方の長側面の凸部の両端側に、人の肩から離隔する離隔凹部が形成された請求項１又は請求項２に記載する枕。
【発明の詳細な説明】
【技術分野】
【０００１】
本発明は、安眠するための枕に関する。
【背景技術】
【０００２】
従来から、睡眠のための枕が使用されている。また、健康上好ましく又は快適に安眠できるようにするための枕が案出されている（例えば、特許文献１〜特許文献８参照。）。さらに、健康上好ましく又は快適に安眠できるようにするための寝具が案出されている（例えば、特許文献９〜特許文献１２参照。）。これらの特許文献には、通気性を高めた枕や保温効果を高めた枕等、種々の枕が記載されている。
【０００３】
しかし、気温の変化又は湿度の変化を考慮した枕はなかった。また、人間工学的に健康上好ましく又は快適に安眠できるようにした枕はなかった。
【特許文献１】特公昭３１−１０６８０号公報
【特許文献２】実公昭３５−６５４０号公報
【特許文献３】実開昭５３−１８２１７号公報
【特許文献４】実開昭５７−８１８３６号公報
【特許文献５】実開昭５７−１３０６２３号公報
【特許文献６】実開昭５８−６５９７５号公報
【特許文献７】特開昭６１−２５９６０６号公報
【特許文献８】特開２００１−２９７号公報
【特許文献９】特開平８−２８０５０９号公報
【特許文献１０】特開２０００−３１６６９１号公報
【特許文献１１】特開２００２−４２６号公報
【特許文献１２】特開２００３−２７５２７６号公報
【発明の開示】
【発明が解決しようとする課題】
【０００４】
本発明は、気温の変化又は湿度の変化を考慮し、人間工学的に健康上好ましく又は快適に安眠できる枕を提供することを目的とする。
【課題を解決するための手段】
【０００５】
本発明の枕は、二つの長側面及び二つの短側面を有し、上面に頭載置部を有する枕において、一方の長側面の中央付近に凹部を有し、他方の長側面の中央付近に凸部を有することを特徴とする。
【０００６】
本発明の枕は、前記枕において、凹面形状の前記頭載置部が前記上面の中央付近に設けられたことを特徴とする。
【０００７】
本発明の枕は、前記枕において、前記一方の長側面の凹部の両端側に、人の肩に接触する接触凸部が形成され、前記他方の長側面の凸部の両端側に、人の肩から離隔する離隔凹部が形成されたことを特徴とする。
【発明の効果】
【０００８】
本発明の枕によれば、就寝する人に対して他方の長側面を頭側に向け一方の長側面を足側に向けて、凹部の上に首を置いて就寝することにより、凹部の両端側の接触凸部付近が就寝している人の肩に接触することとなる。このため、温度の低い時であっても肩を冷やすことがなく、風邪等の病気を予防でき、健康上好ましい。なお、この状態で就寝する場合、凹部の両端側の接触凸部付近が肩を押圧すれば指圧の効果も生じる。また、就寝する人に対して一方の長側面を頭側に向け他方の長側面を足側に向けて、凸部の上に首を置いて就寝することにより、凸部の両端側の離隔凹部付近と就寝している人の肩との間に隙間ができ、肩が枕に接触するのを防止できる。このため、温度が高い時や湿度が高い時であっても、汗をかくことなく涼しく安眠できる。よって、温度の低い冬であっても、温度の高い夏であっても快適に安眠でき、四季の変化に対応できる。
【０００９】
また、本発明の枕によれば、就寝する人に対して他方の長側面を頭側に向け一方の長側面を足側に向けて、凹部の上に首を置いて就寝していて暑いと感じた時には、枕を反転させて、就寝する人に対して一方の長側面を頭側に向け他方の長側面を足側に向けて、凸部の上に首を置いて就寝すれば、暑さから解放されて安眠できる。また、就寝する人に対して一方の長側面を頭側に向け他方の長側面を足側に向けて、凸部の上に首を置いて就寝していて寒いと感じた時には、枕を反転させて、就寝する人に対して他方の長側面を頭側に向け一方の長側面を足側に向けて、凹部の上に首を置いて就寝すれば、寒さから解放されて安眠できる。よって、就寝中の温度や湿度の変化にも対応して安眠できる。
【００１０】
また、凹面形状の頭載置部が前記上面の中央付近に設けられた本発明の枕によれば、凹面形状の頭載置部に後頭部を入れて就寝することにより、凹部の上に首を置いた状態又は凸部の上に首を置いた状態を維持できる。不意に肩を冷やしたり、汗をかいたりするのを防止できる。
【発明を実施するための最良の形態】
【００１１】
本発明に係る枕の実施形態について、図面に基づいて詳しく説明する。図１乃至図５において、符号１０は本発明に係る枕である。
【００１２】
本発明の枕１０は、二つの長側面１２及び１４、並びに二つの短側面１６及び１８を有し、上面及び下面の中央付近に凹面形状の頭載置部２０を有する枕であり、一方の長側面１２の中央付近に凹部２２を有し、他方の長側面１４の中央付近に凸部２４を有している。頭載置部２０は、図４に示すように、糸２１により上面と下面とを接近させることにより構成される。凹部２２を有することにより、その両端側に接触凸部２６を有することとなる。また、凸部２４を有することにより、その両端側に離隔凹部２８を有することとなる。
【００１３】
図２において、長側面１２及び１４の幅Ｗ１は、約４７ｃｍであるが、通常の枕と同様の寸法であれば良い。短側面１６及び１８の幅Ｈ１は、約２９ｃｍであるが、通常の枕と同様の寸法であれば良い。
【００１４】
凹部２２の幅Ｗ３は、約２４ｃｍであるが、その両端側の接触凸部２６が通常の人間の肩に接触する程度であれば良く、人間の通常の首まわりの寸法に対応して、１５ｃｍ〜３０ｃｍぐらいであれば良い。また、凹部２２の半径Ｒ１は、約２０ｃｍであるが、頭を載せた通常の人間の首まわりに接する程度であれば良く、１５ｃｍ〜２５ｃｍ程度であれば良い。また、接触凸部２６の高さＨ５は、約５ｃｍであるが、接触凸部２６が凹部２２に首を載せた人間の肩に接触する程度であれば良く、通常の人間の首の長さに対応して２ｃｍ〜１０ｃｍ程度であれば良い。
【００１５】
凸部２４の幅Ｗ２は、約１９ｃｍであるが、通常の人間の頭の大きさに対応して、１０ｃｍ〜３０ｃｍ程度であれば良い。凸部２４の高さＨ４は、約７ｃｍであるが、通常の人間が頭を載せた場合に、両端側の離隔凹部２８と人間の肩との間に隙間が生じる程度であれば良く、４ｃｍ〜１２ｃｍ程度であれば良い。
【００１６】
また、凸部２４の端部から頭載置部２０の中心までの距離Ｈ２及び凹部２２の端部から頭載置部２０の中心までの距離Ｈ３は、約１５ｃｍであるが、通常の人間の首から後頭部の中心までの距離に対応して、８ｃｍ〜２５ｃｍ程度であれば良い。このように、これらの寸法は、人間工学的に効果のある寸法である。
【００１７】
この枕１０の材質は特に限定されないが、例えば、図３及び図４に示すように、布３０の中に蕎麦殻３２が充填されて構成される。なお、蕎麦殻の他に、綿、スポンジ等であっても良い。
【００１８】
このような枕１０を使用して就寝しようとする人は、寒いと感じた時には、図５（ａ）に示すように、就寝する人に対して他方の長側面１４を頭側に向け一方の長側面１２を足側に向けて、凹部２２の上に首を置いて就寝する。凹部２２の上に首を置くことにより、両端側の接触凸部２６が人の肩３４に密着して接触し、肩３４が冷えるのを防止できる。ここで、肩３４を冷やすと体全体が冷えて風邪をひきやすくなると言われているため、肩３４が冷えるのを防止することは、風邪を予防できるため、健康上好ましい。また、布団３６を肩３４まで被せなくとも肩３４が冷えるのを防止できるため、布団３６は被りたくないが、肩３４は冷やしたくない時に好ましい。
【００１９】
一方、暑いと感じた時には、図５（ｂ）に示すように、就寝する人に対して一方の長側面１２を頭側に向け他方の長側面１４を足側に向けて、凸部２４の上に首を置いて就寝する。凸部２４の上に首を置くことにより、両端側の離隔凹部２８と人の肩３４との間に隙間が生じ、肩３４から大気中への体温の放熱を確保して体が熱くなりすぎるのを防止できる。
【００２０】
このような枕１０であるから、温度の低い冬であっても、温度の高い夏であっても快適に安眠でき、四季の変化に対応できる。また、枕１０によれば、凹部２２の上に首を置いて就寝していて暑いと感じた時には、枕１０を１８０°反転させて、凸部２４の上に首を置いて就寝すれば、暑さから解放されて安眠できる。逆に、凸部２４の上に首を置いて就寝していて寒いと感じた時には、枕１０を１８０°反転させて、凹部２２の上に首を置いて就寝すれば、寒さから解放されて安眠できる。よって、就寝中の温度や湿度の変化にも対応して安眠できる。
【００２１】
また、枕１０によれば、凹面形状の頭載置部２２に後頭部を入れて就寝することにより、凹部２２の上に首を置いた状態又は凸部２４の上に首を置いた状態を維持できる。また、凹面形状の頭載置部２２に後頭部を入れていれば、ある程度首や体を動かしても、そのような状態を維持できる
【００２２】
以上、本発明の一実施形態について説明したが、本発明は上述の実施形態には限定されない。
【００２３】
例えば、枕１０において、図６に示すように、接触凸部２６に保温部材４０を設け、凸部２４の上面に４本の棒状部材４２を設けても良い。保温部材４０により肩の保温効果を高めることができ、棒状部材４２同志の隙間により首からの放熱効果を高めることができる。
【００２４】
また、枕１０において、図７に示すように、一方の長側面１２側を白色又は薄い色とし、他方の長側面１４側を黒色又は濃い色としても良い。これらの配色は、布３０自体の色であっても枕カバーの色であっても良い。一方の長側面１２側を白色等とすることにより、長側面１２側の放熱及び吸熱の熱伝達率を少なくして保温効果を高めることができる。また、他方の長側面１４側を黒色等とすることにより、長側面１４側の放熱及び吸熱の熱伝達率を高くして体温の吸熱及び放熱効果を高めることができる。
【００２５】
また、本発明の枕を形成する布の縫合方法は特に限定されない。例えば、図８に示すように、中心部５０に側部５２をマチ縫いして形成した枕６０であっても良い。この枕６０において、中心部５０と側部５２とで中の詰め物を異ならせても良い。また、この枕６０において、図９に示すように、中の詰め物の出し入れをするための入出口５４を備えても良い。この入出口５４から詰め物を出し入れすることにより、枕６０の高さを調節できる。詰め物としては、特に限定されないが、蕎麦殻の他、桧等の木材チップ、ポリエチレン、竹等が考えられる。
【００２６】
また、枕６０において、図１０に示すように、頭載置部２０に複数本のパイプ５６を備えても良い。パイプ５６の直径は３ｍｍ〜８ｍｍである。パイプ５６の材質は、桧等の木材、ポリエチレン、竹等特に限定されない。パイプ５６は、頭載置部２０に沿って湾曲しており凹形状を形成している。また、枕５６において、図１１に示すように、頭載置部２０に多数の石５８を備えても良い。これら、パイプ５６又は石５８を備えることにより、通気性を高めることができるとともに指圧の効果が生じる。
【００２７】
以上、本発明の実施形態について図面に基づいて説明したが、本発明は図示したものに限定されない。例えば、水枕、竹枕、タイル枕等において本発明のような構成にしても良い。また、本発明の枕は、凹部、接触凸部、凸部、及び離隔凹部を有する形状であれば、その形状は特に限定されない。
【００２８】
また、本発明の枕は夜の睡眠に使用することに限定されず、昼寝や仮眠に使用しても良い。さらに、使用する場所は、自宅の他、ホテル、旅館、温泉施設、病院等、特に限定されない。さらに、本発明の枕の使用目的は、安眠のために限定されず、医療のために使用しても良い。
【００２９】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００３０】
本発明の枕によれば、凹部の上に首を置いて就寝することにより、凹部の両端側の接触凸部付近が就寝している人の肩に接触することとなるため、温度の低い時であっても肩を冷やすことがなく、健康上好ましい。また、凸部の上に首を置いて就寝することにより、凸部の両端側の離隔凹部付近と就寝している人の肩との間に隙間ができ、肩が枕に接触するのを防止できるため、温度が高い時や湿度が高い時であっても涼しく安眠できる。よって、温度の低い冬であっても、温度の高い夏であっても快適に安眠でき、四季の変化に対応できるため、一個の枕により一年中の安眠を確保できる。
【００３１】
また、本発明の枕によれば、凹部の上に首を置いて就寝していて暑いと感じた時には、枕を反転させて、凸部の上に首を置いて就寝すれば、暑さから解放されて安眠できる。また、凸部の上に首を置いて就寝していて寒いと感じた時には、枕を反転させて、凹部の上に首を置いて就寝すれば、寒さから解放されて安眠できる。よって、就寝中の温度や湿度の変化にも対応して一晩中安眠できる。
【図面の簡単な説明】
【００３２】
【図１】本発明の枕の平面図である。
【図２】図１の枕の寸法を示すための平面図である。
【図３】図１の枕のＡ−Ａ線切断部断面図である。
【図４】図１の枕のＢ−Ｂ線切断部断面図である。
【図５】図１の枕の使用状態を示す平面図であり、（ａ）は肩を保温しながら安眠する状態を説明するための平面図であり、（ｂ）は肩を涼しくしながら安眠する状態を説明するための平面図である。
【図６】本発明の枕の他の実施形態を示す平面図である。
【図７】本発明の枕の更に他の実施形態を示す平面図である。
【図８】本発明の枕の更に他の実施形態を示す平面図である。
【図９】本発明の枕の更に他の実施形態を示す平面図である。
【図１０】本発明の枕の更に他の実施形態を示す平面図である。
【図１１】本発明の枕の更に他の実施形態を示す平面図である。
【符号の説明】
【００３３】
１０、６０  枕
１２  一の長側面
１４  他の長側面
１６、１８  短側面
２０  頭載置部
２１  糸
２２  凹部
２４  凸部
２６  接触凸部
２８  離隔凹部
３０  布
３２  蕎麦殻
３４  肩
【図１】
2005312614.tif 000003
【図２】
2005312614.tif 000004
【図３】
2005312614.tif 000005
【図４】
2005312614.tif 000006
【図５】
2005312614.tif 000007
【図６】
2005312614.tif 000008
【図７】
2005312614.tif 000009
【図８】
2005312614.tif 000010
【図９】
2005312614.tif 000011
【図１０】
2005312614.tif 000012
【図１１】
2005312614.tif 000013